(57)【要約】【課題】視力回復訓練の為の焦点距離調節手段と奥行調節手段とを兼ね備え、手軽に、飽きる事無く、反復訓練が可能な視力回復方法と装置を提供する。【解決手段】視力回復訓練用映像ディスプレー３、及び一次反射ミラー４、扇状反射ミラー５を備えた視力回復装置躯体１を、２の注視口から覗けば、回転する扇状反射ミラー５の扇状ミラー部が注視口からの視認範囲にある場合、焦点距離及び奥行きが、図１の如く、ｂとなり、扇状ミラー部では無い、透過部位が視認範囲に来た際はａとなる。被矯正者が上記視力回復訓練用映像ディスプレーを見続ける事により、自然に焦点距離及び奥行き調整が行われ、毛様体が刺激される事により、視力回復を図る。【選択図】図１
2005066246.tif 000002
【特許請求の範囲】
【請求項１】
視力回復装置躯体１の一方に配置された映像ディスプレーと、当該映像ディスプレーに対峙する他方に配置され、当該映像ディスプレーが視認可能な注視口と、当該注視口の上方で、当該躯体内部に装着された一次反射ミラーと、上記注視口から視認される上記映像ディスプレーからの映像を視認、遮断自在にするとともに、上記一次反射ミラーから反射された上記ディスプレーからの映像を、上記注視口から視認可能な位置に配置され、回転自在に軸着された扇状反射ミラーから構成される視力回復装置。
【請求項２】
扇状反射ミラーを図５の如く更に複数枚設け、注視口からの焦点距離を複雑に変化させる事を特徴とした、視力回復装置。
【発明の詳細な説明】
【発明の詳細な説明】
【技術分野】
【０００１】本発明は、内部に回転する扇状反射ミラーを設けた、眼の焦点距離調節及び奥行調節の訓練を主体とする、視力回復装置に関するものである。
【背景技術】
【０００２】従来、視力回復装置は、注視板そのものが、遠・近距離の移動をするもの、若しくは、小型可移動式訓練装置にて、患者の眼から注視板間を光学的に処理した虚像を設け、距離感を出す等の措置が施されていた。
【特許文献１】特開平６−３３９５０１
【特許文献２】特開平７−２７５２８６
【発明の開示】
【発明が解決しようとする課題】
【０００３】しかし、被矯正者にとっては、単調な反復訓練となる等、必ずしも訓練が充分に行われる環境とはならないケースも見られ、また、小スペースの小型可移動式訓練装置に於いては、頭部及び顔部取り付け部位に於ける違和感発生等の問題が考えられた。【０００４】本発明は、視力低下からの回復には、眼の調節筋である毛様体筋を活発化させる方法が有効であるとの通念の下、被矯正者に対し訓練による苦痛を最小限に留め乍ら、自然に遠・近距離の焦点調節、及び奥行調節が行える視力回復装置の提供を目的としている。
【課題を解決するための手段】
【０００５】このため、本発明では、一方に映像ディスプレーを、一方に注視口を配した箱型視力回復訓練装置とし、映像ディスプレー及び注視口の間に回転する扇状反射ミラーを設けている。
【発明の効果】
【０００６】本発明では、上記構成としたことにより、被矯正者の眼は注視口の位置に固定され、回転する扇状反射ミラーの反射の有無により、被矯正者の眼部からの焦点距離が遠・近を連続的に繰り返す事となり、眼の調節筋のトレーニングを効率良く行う事が出来る。
【発明を実施するための最良の形態】内部に回転する扇状反射ミラーを設け、焦点距離の遠・近調節が行なわれるという目的の達成方法を、最小の部品点数にて実現した。
【実施例】
【０００７】以下本発明の実施例について、図面を参照して説明する。図１に於いて、視力回復装置躯体１には、映像ディスプレー３と、注視口２が配され、注視口上部には、一次反射ミラー４が、また、注視口２と映像ディスプレー３の間には、扇状反射ミラー５が設けられている。扇状反射ミラー５は、電動モーター６による動力にて回転力を得る。【０００８】図１、図２にある如く、扇状反射ミラー５の回転中、ミラーの扇部では無い、透過部位が注視口からの視認範囲に来た場合、被矯正者の眼の焦点距離は注視口から映像ディスプレー間のａであり、扇部のミラーを有する部位が、視認範囲に来た場合に於いては、焦点距離は注視口からミラー部位間のｂとなる。【０００９】扇状反射ミラー５は図３の如くドーナッツ状の一部が欠けた状態にあり、全周囲を全てミラー固定枠１３にて保護されている。ドーナッツ状の内心の部分にはモーター軸１４との接点１５があり、モーター軸１４に固く固定される。【００１０】電動モーター６は、図２の如く、視力回復装置躯体１に設置された電動モーター台１６に配置され、更にモーター固定バンド１７にて電動モーター台に固定される。【００１１】図４は、実施例のモーターの駆動及び映像ディスプレーのコントローラー８、及びスタート／ストップスイッチ９、タイマースイッチ１０、スピードコントロールスイッチ快１１、スピードコントロールスイッチ慢１２、を示して居り、モーターの回転時間、回転速度、電源の入／切を同コントローラーにてコントロールする事が出来る。【００１２】具体的には、被矯正者は、先ず、スタート／ストップスイッチ９を押す事により、電動モーター６及び映像ディスプレーを始動させる。始動時は、モーターのスピードコントロールは慢の状態にあるが、これを、スピードコントロールスイッチ快１１を押す事により、回転速度を速める事が出来る。再び慢の状態に戻す際には、スピードコントロールスイッチ慢１２を押す。また、タイマースイッチ１０を一押し３分に初期設定しておけば、一回押す毎に３分、６分、９分と訓練時間が延びるようになる。【００１４】従い、この実施例では、被矯正者の訓練の程度に合わせ、電動モーターの速度を調整する事が可能で、また、訓練の時間もタイマーにて調整する事が出来る。【００１５】また、この実施例では、扇状反射ミラーが１枚の状態での例を示しているが、図５の如く、これを２枚、または３枚と必要に応じ増やす事で、注視口２からの焦点距離を更に複雑に変化させる事が可能である。【００１６】映像ディスプレー３は、既存の、一般的に使用されている液晶テレビディスプレー装置か、ブラウン管テレビディスプレー装置を使用し、それを任意のビデオテーププレーヤー、ＤＶＤ、コンピューター等のソフトウエア供給源に接続する。
【図面の簡単な説明】
【００１７】
【図１】一部切欠斜視図である。
【図２】図１のＡ−Ａ線で切断した断面図である。
【図３】モーターに扇状反射ミラー装着時の平面図である。内、（ア）はミラー部分が１８０度以下の角度の場合（イ）はミラー部分が１８０度の角度の場合（ウ）はミラー部分が１８０度以上の角度の場合の例を示す。
【図４】電気的な構成を示すブロックダイヤグラムである。
【図５】扇状反射ミラーが３枚の例を示す断面図である。
【符号の説明】
【００１８】１  視力回復装置躯体
２  注視口
３  映像ディスプレー
４  一次反射ミラー
５  扇状反射ミラー
６  電動モーター
７  コントローラー設置穴
８  駆動コントローラー
９  タイマースイッチ
１０スタート／ストップスイッチ
１１スピードコントロールスイッチ快
１２スピードコントロールスイッチ慢
１３ミラー固定枠
１４モーター軸
１５接点
１６電動モーター台
１７モーター固定バンド
【図１】
2005066246.tif 000003
【図２】
2005066246.tif 000004
【図３】
2005066246.tif 000005
【図４】
2005066246.tif 000006
【図５】
2005066246.tif 000007